【事件の表示】
　特願２００６−２２０５２４「メダル遊技設備の不正検出装置」拒絶査定不服審判事件〔平成２０年　２月２８日出願公開、特開２００８−　４３４６５〕について、次のとおり審決する。
【結　論】
　本件審判の請求は、成り立たない。
【理　由】
１．手続の経緯
　本願は、平成１８年８月１１日の出願であって、平成２２年８月１１日付け（発送：８月１７日）で拒絶査定され、これに対し、同年１１月１６日に拒絶査定不服審判の請求がなされ、当審において、平成２４年１月１７日付け（発送：１月１９日）で拒絶の理由を通知し、これに対し平成２４年３月１９日付けで手続補正がなされたものである。 
　
２．本願補正発明
　平成２４年３月１９日付けの手続補正により補正された特許請求の範囲の請求項１に係る発明（以下「本願補正発明」という。）は、その請求項１に記載された事項により特定される、次のとおりのものと認める。
「【請求項１】
　ホッパーを備えた複数のメダル遊技機にメダルを供給する供給ラインを設け、供給ラインのメダルをメダル遊技機のホッパーへバッチ補給する補給手段を設けたメダル遊技設備において前記補給手段による補給回数から不正と判断して警報する警報手段を設けたメダル遊技設備の不正検出装置であって、同警報手段は、補給手段によるメダルの補給時刻を記憶する記憶部と、補給ある毎にその補給時刻から予め定めた長い時間を遡った間の記憶部が記憶した補給回数がその長い時間に対して不正と判断される所定回数に達している場合は不正があったと判断する長時間監視部と、補給ある毎にその補給時刻から長時間監視部で監視する時間より短い時間を遡った間の記憶部が記憶した補給回数が長時間監視部で監視する単位時間当たりの回数より高い頻度を示す設定回数に達している場合は不正があったと判断する短時間監視部と、前記長時間監視部又は短時間監視部が不正判断した場合に警報信号を出力する警報信号出力部と、同警報信号出力部の出力信号を受けて警報を発生させる警報装置とで構成したことを特徴とする、メダル遊技設備の不正検出装置。」
　
３．引用文献に記載された事項
　当審における平成２４年１月１７日付けの拒絶の理由において引用例１として引用した特開２００３−２６５６９５号公報（以下、「引用例１」という。）には、図面とともに、以下の事項が記載されている。
（ア）「【００１９】遊技島４は、複数台の遊技媒体使用機、例えば遊技機、具体的にはスロットマシン６を横方向に配置したものである。これらスロットマシン６に挟まれるように、別の遊技媒体使用機、例えば遊技媒体貸出機、具体的にはメダル貸機８が設けられている。メダル貸機８は、１台のスロットマシン６または２台のスロットマシン６に対して１台の割合で設けられている。遊技島４は、図２に示すように両側にスロットマシン６を並べた両島と呼ばれる形態のものと、図示していないが、片側のみにスロットマシン６を並べた片島と呼ばれる形態のものとがある。必要に応じていずれかの形態の遊技島が選択される。パチンコ店では、複数列の遊技島４が設けられることが多い。
【００２０】各遊技島４の一方の端部に、メダル補給装置２ａ、２ｂの一方が設けられている。メダル補給装置２ａは、メダル計数機１０を載置するための載置台１２を備えた載置台付きのものであり、メダル補給装置２ｂは、載置台１２を備えていない載置台無しのものである。」
（イ）「【００２６】補給コンベヤ４６は、遊技島４において、スロットマシン６及びメダル貸機８の上部に、その配列方向に沿ってほぼ水平に一端部から他端まで配置されている。補給コンベヤ４６上には、スロットマシン６及びメダル貸機８に対応させて、ほぼ等間隔に分岐ユニット４８が配置されている。分岐ユニット４８は、作動時に、補給コンベヤ４６上を搬送されるメダルを、分岐ユニット４８が対応するスロットマシン６またはメダル貸機８に分岐排出する。」
（ウ）「【００３１】図６に示すような制御部６８が、各メダル補給装置２ａ、２ｂに設けられている。これら制御部６８は、自島のスロットマシン６、メダル貸機８およびメダル計数機１０からのメダル回収及び補給、洗浄ユニット３０によるメダルの洗浄、他の島へのメダル補給などを制御する。制御部６８は、ＣＰＵやメモリからなる。制御部６８は、回収コンベヤ２４、回収リフト２６、洗浄ユニット３０、メインリフト３２、分配装置３６、補給リフト４０、島渡しコンベヤ２２、島渡し分岐ユニット４３、補給コンベヤ４６等の駆動手段からなる駆動装置群７０を、これらに設けたセンサからなるセンサ群７２からの信号を受けて、制御する。同時に制御部６８は、動作状態を監視し、異常に対する処理も行う。制御部６８には、操作子群５３及び表示装置６６が接続され、各種条件の設定やエラーメッセージ等の表示を行う。
【００３２】更に、制御部６８は、各中継制御部７４と双方向通信を行い、各スロットマシン６及びメダル貸機８へのメダル補給制御を行う。そのため、各中継制御部７４には、当該中継制御部７４が統括管理するスロットマシン６及びメダル貸機８から、これらのメダルの貯留量が少なくなったときに、補給要求指令、例えばエンプティ信号が供給される。このエンプティ信号を基に、後述するように中継制御部７４が統括管理するスロットマシン６及びメダル貸機８に対応する分岐ユニット４８の駆動部７６の制御が行われる。」
（エ）「【００３６】上記補給枚数の設定では、１回の補給処理で、スロットマシン６及びメダル貸機８に補給されるメダル枚数が設定される。制御部６８は、設定された補給枚数のメダルを補給タンク４４から補給コンベヤ４６に払い出す。
【００３７】スロットマシン６及びメダル貸機８は、内部のホッパに貯留しているメダルの量を検出しており、貯留メダルが不足すると、エンプティ信号を発信する。スロットマシン６及びメダル貸機８におけるメダルの減少度合いは、通常の使用状態では予測される範囲内であるので、制御部６８は、同じスロットマシン６またはメダル貸機８から所定時間Ｔ内に所定回数Ｎ以上のエンプティ信号を受けると、当該スロットマシン６またはメダル貸機８やメダル補給装置２ａの故障、または不正遊技若しくは不正操作によるメダルの抜き取りの可能性がある異常状態であると判断し、エラー処理、例えば補給の禁止を行う。」
（オ）「【００４２】スロットマシン６及びメダル貸機８には、メダルの貯留量を検出するセンサが設けられており、貯留量が少なくなると、エンプティ信号をスロットマシン６、メダル貸機８が、対応する中継制御部７４に送信する。中継制御部７４は、これを制御部６８に送信する。制御部６８は、待機中処理の状態において、補給要求信号を受信すると、後述するように補給禁止であるか判断し、補給可能であると、補給処理（ステップＳ１６）を実行する。
【００４３】補給処理（ステップＳ１６）では、補給コンベヤ４６を動作させ、その後に補給タンク４４内の所定量のメダルを補給コンベヤ４６に排出させる。所定時間（エンプティ信号を発信したスロットマシン６またはメダル貸機８にメダルが到達するのに要する時間より若干短い時間）の経過後に、エンプティ信号を発信したスロットマシン６またはメダル貸機８に対応する分岐ユニット４８を駆動し、当該スロットマシン６またはメダル貸機８にメダルを補給する。」
（カ）「【００４５】まず、補給履歴等の初期化処理が実行される（ステップＳ３０）。次に、いずれかのスロットマシン６またはメダル貸機８からエンプティ信号を受信する（補給要求を受信する）まで待機する（ステップＳ３２）。この間に、他の処理が実行される。
【００４６】エンプティ信号を受信すると、初期設定処理（ステップＳ６）で設定した回数Ｎを基に、Ｎ−１回前の補給からの経過時間が、初期設定処理で設定した時間Ｔ以下であるか判断する。例えばＮとして４を、Ｔとして５分を設定していると、３（＝４−１）回前に補給してから、５分以内の時間しか経過していないのか判断する（ステップＳ３４）。
【００４７】この判断の答えがノーであると、即ちＮ−１回目の補給からの経過時間がＴよりも長いと、正常な補給要求であると判断できるので、ステップＳ１６の補給処理を実行し、ステップＳ４のエンプティ信号の受信待機状態に戻る。
【００４８】ステップＳ３４における判断の答えがイエスであると、即ちＮ−１回目の補給からの経過時間がＴ以下であると、異常報知を行う（ステップＳ３６）。例えば液晶表示装置６６に異常と判断したスロットマシン６またはメダル貸機８の番号とエラーメッセージとを表示し、更に表示ランプ１８のうち緑色の表示ランプ１８Ｇと赤色の表示ランプ１８Ｒとを点滅させる。これらの表示によって、係員に注意を促す。係員は、この表示に基づき注意すべきスロットマシン６またはメダル貸機８を特定し、これに対する監視を強化する。」
　
　以上、上記（ア）ないし（カ）の記載及び図面の記載を総合すると、引用例１には、
「遊技島４は、複数台のスロットマシン６を横方向に配置したものであり、各遊技島４の一方の端部に、メダル補給装置２ａ、２ｂが設けられており、
　補給コンベヤ４６は、遊技島４において、スロットマシン６の上部に、その配列方向に沿ってほぼ水平に一端部から他端まで配置され、補給コンベヤ４６上には、スロットマシン６に対応させて、分岐ユニット４８が配置され、
　スロットマシン６は、内部のホッパに貯留しているメダルの量を検出しており、貯留メダルが不足すると、エンプティ信号を発信し、補給コンベヤ４６を動作させ、エンプティ信号を発信したスロットマシン６に対応する分岐ユニット４８を駆動し、当該スロットマシン６にメダルを補給するようにし、
　メダル補給装置２ａ、２ｂの制御部６８は、同じスロットマシン６から所定時間Ｔ内に所定回数Ｎ以上のエンプティ信号を受けると、即ちＮ−１回目の補給からの経過時間がＴ以下であると、液晶表示装置６６に異常と判断したスロットマシン６の番号とエラーメッセージとを表示し、更に表示ランプ１８のうち緑色の表示ランプ１８Ｇと赤色の表示ランプ１８Ｒとを点滅させることにより異常報知を行う遊技島４。」の発明が開示されていると認めることができる（以下、この発明を「引用発明」という。）。
　
４．対比
　引用発明の「スロットマシン６」は本願補正発明の「メダル遊技機」に相当する。以下同様に、
「補給コンベヤ４６」は「供給ライン」に、
「分岐ユニット４８」は「補給手段」に、
「ホッパ」は「ホッパ−」に、
「制御部６８」は「不正検出装置」に、
「液晶表示装置６６」、「表示ランプ１８のうち緑色の表示ランプ１８Ｇと赤色の表示ランプ１８Ｒ」は「警報装置」に、相当する。
　
　さらに、引用例１の記載等からみて、以下のことがいえる。
　
ａ．引用発明の遊技島４は、複数台のスロットマシン６を横方向に配置したものであり、各遊技島４の一方の端部に、メダル補給装置２ａ、２ｂが設けられており、
　補給コンベヤ４６は、遊技島４において、スロットマシン６の上部に、その配列方向に沿ってほぼ水平に一端部から他端まで配置され、補給コンベヤ４６上には、スロットマシン６に対応させて、分岐ユニット４８が配置され、
　スロットマシン６は、内部のホッパに貯留しているメダルの量を検出しており、貯留メダルが不足すると、エンプティ信号を発信し、補給コンベヤ４６を動作させ、エンプティ信号を発信したスロットマシン６に対応する分岐ユニット４８を駆動し、当該スロットマシン６にメダルを補給するようにしたものであるから、
　引用発明は、本願補正発明の「ホッパーを備えた複数のメダル遊技機にメダルを供給する供給ラインを設け、供給ラインのメダルをメダル遊技機のホッパーへバッチ補給する補給手段を設けたメダル遊技設備」に相当する構成を備えているといえる。
　
ｂ．引用発明の遊技島４において、メダル補給装置２ａ、２ｂの制御部６８は、同じスロットマシン６から所定時間Ｔ内に所定回数Ｎ以上のエンプティ信号を受けると、即ちＮ−１回目の補給からの経過時間がＴ以下であると、液晶表示装置６６に異常と判断したスロットマシン６の番号とエラーメッセージとを表示し、更に表示ランプ１８のうち緑色の表示ランプ１８Ｇと赤色の表示ランプ１８Ｒとを点滅させることにより異常報知を行うから、
　引用発明は、本願補正発明の「前記補給手段による補給回数から不正と判断して警報する警報手段」に相当する構成を備えているといえるとともに、
　本願補正発明と「補給に関する所定時刻から遡った間の時間と補給回数とが所定の関係である場合は不正があったと判断する監視部」及び「警報を発生させる警報装置」を備えている点で共通しているといえる。
　
　以上のことから、引用発明と本願補正発明は、
＜一致点＞
「ホッパーを備えた複数のメダル遊技機にメダルを供給する供給ラインを設け、供給ラインのメダルをメダル遊技機のホッパーへバッチ補給する補給手段を設けたメダル遊技設備において前記補給手段による補給回数から不正と判断して警報する警報手段を設けたメダル遊技設備の不正検出装置であって、
　同警報手段は、
　補給に関する所定時刻から遡った間の時間と補給回数とが所定の関係である場合は不正があったと判断する監視部と、
　警報を発生させる警報装置とで構成したことを特徴とする、メダル遊技設備の不正検出装置。」である点で一致し、以下の点で相違している。
　
＜相違点１＞
　本願補正発明は、「補給手段によるメダルの補給時刻を記憶する記憶部」を有しているのに対して、 
　引用発明は、補給時刻を記憶する記憶部を有しているか不明である点。 
　
＜相違点２＞
　本願補正発明は、警報手段の監視部が、「補給ある毎に」不正があったか否か判断を行うのに対して、 
　引用発明は、補給ある毎でなく、補給要求であるエンプティ信号を受信すると監視を行うものである点。
　
＜相違点３＞
　本願補正発明は、警報手段の監視部が監視するのは、補給時刻から予め定めた時間を遡った間の補給回数が不正と判断される所定回数に達しているかどうかであるのに対して、
　引用発明も、監視するのは所定時間Ｔ内に所定回数Ｎ以上のエンプティ信号を受けるかであるが、具体的に記載されている監視方法は、エンプティ信号を受信するより前の所定時間内に所定回数以上のエンプティ信号を受け取ったかどうかである点。
　
＜相違点４＞ 
　本願補正発明は、警報手段の監視部が、「長時間監視部」と「長時間監視部で監視する単位時間当たりの回数より高い頻度を示す設定回数に達している場合は不正があったと判断する短時間監視部」の２つの監視部であるのに対して、 
　引用発明は、監視部が１つのみである点。 
　
＜相違点５＞ 
　本願補正発明は、警報手段の監視部が「不正判断した場合に警報信号を出力する警報信号出力部」を有し、警報装置が「警報信号出力部の出力信号を受けて警報を発生させる」のに対して、
　引用発明は、警報信号を出力する構成であるかどうか不明であるため、このような構成でない点。
　
　上記相違点について検討すると、 
＜相違点１＞について 
　引用発明は、補給要求であるエンプティ信号を受信すると所定時間内に所定回数以上のエンプティ信号を受け取ったか監視するものであり、エンプティ信号を受け取るとメダルの補給を行うものであるから、「補給手段によるメダルの補給時刻を記憶する記憶部」を有していると考えるのが普通であり、 
　引用発明が「補給手段によるメダルの補給時刻を記憶する記憶部」を有していないとしても、引用発明は、補給要求であるエンプティ信号を受信すると所定時間内に所定回数以上のエンプティ信号を受け取ったか監視するものであり、エンプティ信号を受け取るとメダルの補給を行うものであるから、
　メダルが補給される時刻も記憶するように「補給手段によるメダルの補給時刻を記憶する記憶部」を有する構成として相違点１に係る本願補正発明の構成とすることは、当業者が容易に成し得る程度のことにすぎない。
　
＜相違点２＞について
　補給監視方法として、補給要求毎に不正があったか否か判断するようにするか、補給ある毎に判断するようにするかは単なる設計的事項にすぎず、当審における平成２４年１月１７日付けの拒絶の理由において引用例２として引用した特開２００２−５２１３４号公報（段落【０００４】、【０００７】、【００１０】、図４、９等参照。以下、「引用例２」という。）には、補給ある毎に不正を検出したか否か判断する点が記載されているから、
　引用発明のエンプティ信号を受信すると判断する構成の代わりに引用例２に記載された補給ある毎に判断する構成を採用して相違点２に係る本願補正発明の構成とすることは、当業者が容易に成し得る程度のことにすぎない。
　
＜相違点３＞について 
　引用例１の段落【００３７】には、所定時間Ｔ内に所定回数Ｎ以上のエンプティ信号を受けると異常であると判断する旨が記載されている。
　エンプティ信号を受信すると判断する代わりに補給ある毎に判断する点については、上記相違点２で既に検討している。
　そして、所定時間内に所定回数以上の補給があるかを検出する方法として、 
ａ．所定時間遡った間に所定回数以上の補給があるかを検出する方法、 
ｂ．所定回数の補給に要した時間が所定時間以内かを検出する方法、 
が考えられるが、どちらの検出方法を採用するかは、設計的事項にすぎない。
　よって、上記ａ．の検出方法を採用して相違点３に係る本願補正発明の構成とすることは、当業者が容易に成し得る程度のことにすぎない。
　
＜相違点４＞について　 
　短時間監視部と長時間監視部を設け、短時間監視部は長時間監視部よりも高い払出し割合に達している場合に不正と判断するようにすることは、当審における平成２４年１月１７日付けの拒絶の理由において引用例３として引用した特開２００３−３８８３１号公報（段落【００１３】〜【００１８】等参照）、引用例４として引用した特開２００６−１４９９５３号公報（段落【０３６４】〜【０３６５】等参照）にも記載されているように周知であるから、
　引用発明の監視部を上記周知技術に基づいて相違点４に係る本願補正発明の構成とすることは、当業者が容易に成し得る程度のことにすぎない。 
　
＜相違点５＞
　引用例２（「不正信号」が「警報信号」に相当。【００１０】、図４参照。）には、監視部が不正判断した場合に警報信号を出力する警報信号出力部を有し、警報装置が警報信号出力部の出力信号を受けて警報を発生させる点が記載されているから、
　引用発明の監視部・警報装置を、引用例２に記載された警報信号を出力する技術に基づいて相違点５に係る本願補正発明の構成とすることは、当業者が容易に成し得る程度のことにすぎない。
　
　そして、本願補正発明の効果は、引用発明、引用例２に記載された発明及び周知技術から当業者が予測できる範囲のものである。
　
５．むすび
　以上のように、本願補正発明は、引用発明、引用例２に記載された発明及び周知技術に基づいて、当業者が容易に発明をすることができたものであり、特許法第２９条第２項の規定により特許を受けることができない。
　
　よって、結論のとおり審決する。